(57)【要約】【課題】光学レンズを移動するだけで壁面などの投影に必要な光源などを制御することができ、また光学レンズを他の機能にも有効に利用できるようにする。【解決手段】携帯通信端末１０は、液晶表示部１４の前面側に光学レンズ１２を配置した状態で、液晶表示部１４の背面側から光源により照明することで、液晶表示部１４の表示画面を光学レンズ１２を介して壁面等に投影できる。この光学レンズ１２は、液晶表示部１４の前面側で上記の投影を行う投影位置と、カメラ１３の前面側でその補助光学レンズとして機能する撮像補助位置と、液晶表示部１４及びカメラ１３のいずれにも作用しない待避位置とを移動可能に設置される。そして回転ダイヤル１５に対する操作入力に従って、光学レンズ１２を上記投影位置，撮像補助位置，及び待避位置のいずれかに移動させることができる。またこの移動に応じて、光源の点灯／消灯を自動的に制御する。【選択図】図１
2005260550.tif 000002
【特許請求の範囲】
【請求項１】
画像ないし通信内容を表示する表示装置と、該表示装置を背面から照射する光源と、光を屈折させる光学レンズと、光信号を電気的な信号に変換する撮像装置とを有し、前記表示装置の前面側に前記光学レンズを配置した状態で、該表示装置の背面側から前記光源により前記表示装置を照明することで、前記表示装置の表示画面を前記光学レンズを介して被投影面に投影できるようにした携帯通信端末において、前記光学レンズは、前記表示装置の前面側で前記表示装置の表示画面の投影を行う投影位置と、前記撮像装置の前面側で該撮像装置の補助光学レンズとして機能する撮像補助位置と、前記表示装置及び前記撮像装置のいずれにも作用しない待避位置とを移動可能に設置され、前記携帯通信端末は、操作入力に従って該光学レンズを前記投影位置，前記撮像補助位置，及び前記待避位置のいずれかに移動させるレンズ移動制御手段を備えることを特徴とする携帯通信端末。
【請求項２】
請求項１に記載の携帯通信端末において、該携帯通信端末は、前記光学レンズの位置を検出する光学レンズ位置検出手段を有し、前記レンズ移動制御手段に対する操作入力に従って前記光学レンズが前記投影位置に移動したとき、自動的に前記表示装置の表示画面の投影を実行することを特徴とする携帯通信端末。
【請求項３】
請求項１または２に記載の携帯通信端末において、前記レンズ移動制御手段に対する操作入力に従って前記光学レンズが前記投影位置から他の位置に移動したとき、自動的に表示装置の表示画面の投影を解除することを特徴とする携帯通信端末。
【請求項４】
請求項１または２に記載の携帯通信端末において、前記レンズ移動制御手段に対する操作入力に従って前記光学レンズが前記撮像補助位置に移動した時、前記光学レンズを補助レンズとして使用するのに適した撮影状態となるように、自動的に前記撮像装置を設定することを特徴とする携帯通信端末。
【請求項５】
請求項１または２に記載の携帯通信端末において、前記レンズ移動制御手段に対する操作入力に従って前記光学レンズが前記撮像補助位置から他の位置に移動したとき、前記光学レンズを補助レンズとして使用するのに適した撮影状態を、自動的に解除することを特徴とする携帯通信端末。
【請求項６】
請求項１ないし５のいずれか１に記載の携帯通信端末において、前記レンズ移動制御手段は、使用者が操作可能な操作部と該操作部と前記光学レンズとを機械的に接続し、前記操作部に対する操作入力に従って前記光学レンズを移動させる接続部とを有することを特徴とする携帯通信端末。
【請求項７】
請求項１ないし５のいずれか１に記載の携帯通信端末において、該レンズ移動制御手段は、前記光学レンズを駆動して該光学レンズの位置を移動させる光学レンズ駆動手段と、使用者による操作入力が可能な入力手段と、該入力手段に入力された操作入力に従って前記光学レンズ駆動手段を駆動させて該光学レンズを操作入力に従って移動させる制御手段とを有することを特徴とする携帯通信端末。
【発明の詳細な説明】
【技術分野】
【０００１】
本発明は携帯通信端末、より詳細には、表示画面を壁などに投射する機能を備えた携帯通信端末に関する。
【背景技術】
【０００２】
近年、携帯電話やＰＤＡ（Ｐｅｒｓｏｎａｌ  Ｄｉｇｉｔａｌ  Ａｓｓｉｓｔａｎｔ：携帯情報端末装置）等の携帯通信端末を使用したインターネットアクセスの利用者は増加し、その中でも、メールの送受信やＷｅｂの閲覧機能等の利用は特に盛んである。また、携帯通信端末の無線アクセス速度の向上に伴い、テレビ放送などと比較して画質は若干劣るとしながらも、携帯通信端末における動画利用も確実に増え始めている。
【０００３】
一方で、パソコンの表示画面を壁面などに投影し、複数人で表示画面を確認できるようにした業務用プロジェクタや、ホームシアター等に代表されるような家庭用プロジェクタの利用シーンも確実に増え始めている。
【０００４】
そんな中、携帯電話やＰＤＡに代表される携帯通信端末のＷｅｂ画面の表示を、手軽に壁面などに投影し、複数人で確認できれば便利であるし、また携帯電話やＰＤＡの動画画面の表示も手軽に複数人で確認できれば便利である。
【０００５】
このようなニーズを解決するために、例えば、特許文献１には、投影光学レンズを携帯電話機に取り付け、その投影光学レンズを移動させることで、投影光学レンズによる表示画面の拡大投影機能と、表示画面を直接肉眼で確認できる機能とを兼ね備えた装置が開示されている。
【０００６】
図１３及び図１４は、特許文献１で開示された、液晶表示を壁面等に投射する機能を備えた携帯電話機を示す図で、図中、４０は携帯電話機、４１は液晶表示部、４２は投影光学レンズ、４３は携帯電話機の本体、４４は回転軸である。
【０００７】
携帯電話機４０は、通信画面を表示する液晶表示部４１と、液晶表示部４１に表示された画像を拡大・投影するための投影光学レンズ４２とを有している。そして投影光学レンズ４２は、回転軸４４を軸として本体４３に対して回動可能に取り付けられている。
投影光学レンズ４２は、図１３に示すように、通常は本体４３の上部に位置している。そして図１４に示すように、投影光学レンズ４２によって液晶表示部４１の画像を拡大・投影する際には、投影光学レンズ４２を液晶表示部４１の前面に被さる位置に移動させる。
【０００８】
上記のように投影光学レンズ４２を液晶表示部４１の前面に移動させることによって、液晶表示部４１の画像を、投影光学レンズ４２を介して外部の壁面等に投影することができ、例えば壮年以上の人間にも見やすい表示が可能となる。
【０００９】
以上のように、特許文献１においては、投影光学レンズ４２によって液晶表示部４１の表示を投影する投影位置（図１４）と、投影光学レンズ４２を収納して液晶表示部４１の投影を行わない収納位置（図１３）とを取り得るように、投影光学レンズ４２を携帯通信端末の本体４３に対して移動可能に取り付けることで、投影光学レンズ４２が収納位置に位置している場合には、使用者は液晶表示部４１の画面を直接肉眼で見ることが可能であり、また投影光学レンズ４２を液晶表示部４１の前面に移動させることで、液晶表示部４１の表示を壁面などに投射することが可能となる。
【特許文献１】特開２００１−３１３７０２号公報
【発明の開示】
【発明が解決しようとする課題】
【００１０】
上記特許文献１では、投影光学レンズ４２を投影位置と収納位置との間で移動可能であるが、投影光学レンズ４２が移動したことを検出する手段に関しては何等記載されていない。従って、使用者が表示画面を拡大投影すべく光学レンズを移動させた後、さらに光源の点灯／消灯制御などの動作が必要となることが想定され、操作が煩わしくなるという問題が生じる。また、特許文献１では、表示画面の拡大投影を実現するために投影光学レンズ４２を使用しているが、この投影光学レンズ４２は、液晶表示の拡大投影表示のみに使用されるもので、他の目的に流用できる流用性に乏しい。
【００１１】
本発明は、上述のごとき実情に鑑みてなされたもので、表示画面を光学レンズを用いて投影できる機能をもった携帯通信端末であって、光学レンズを移動するだけで壁面などの投影に必要な光源などを制御することができ、また光学レンズを投影表示に使用するだけでなく、他の機能にも有効に利用できるようにした携帯通信端末を提供することを目的とするものである。
【課題を解決するための手段】
【００１２】
第１の技術手段は、画像ないし通信内容を表示する表示装置と、表示装置を背面から照射する光源と、光を屈折させる光学レンズと、光信号を電気的な信号に変換する撮像装置とを有し、表示装置の前面側に前記光学レンズを配置した状態で、表示装置の背面側から光源により前記表示装置を照明することで、表示装置の表示画面を光学レンズを介して被投影面に投影できるようにした携帯通信端末において、光学レンズは、表示装置の前面側で表示装置の表示画面の投影を行う投影位置と、撮像装置の前面側で撮像装置の補助光学レンズとして機能する撮像補助位置と、表示装置及び撮像装置のいずれにも作用しない待避位置とを移動可能に設置され、携帯通信端末は、操作入力に従って光学レンズを投影位置，撮像補助位置，及び待避位置のいずれかに移動させるレンズ移動制御手段を備えることを特徴としたものである。
【００１３】
第２の技術手段は、第１の技術手段において、携帯通信端末は、光学レンズの位置を検出する光学レンズ位置検出手段を有し、レンズ移動制御手段に対する操作入力に従って光学レンズが投影位置に移動したとき、自動的に表示装置の表示画面の投影を実行することを特徴としたものである。
【００１４】
第３の技術手段は、第１または第２の技術手段において、レンズ移動制御手段に対する操作入力に従って光学レンズが投影位置から他の位置に移動したとき、自動的に表示装置の表示画面の投影を解除することを特徴としたものである。
【００１５】
第４の技術手段は、第１または第２の技術手段において、レンズ移動制御手段に対する操作入力に従って光学レンズが撮像補助位置に移動した時、光学レンズを補助レンズとして使用するのに適した撮影状態となるように、自動的に撮像装置を設定することを特徴としたものである。
【００１６】
第５の技術手段は、第１または第２の技術手段において、レンズ移動制御手段に対する操作入力に従って光学レンズが撮像補助位置から他の位置に移動したとき、光学レンズを補助レンズとして使用するのに適した撮影状態を、自動的に解除することを特徴としたものである。
【００１７】
第６の技術手段は、第１ないし第５のいずれか１の技術手段において、レンズ移動制御手段は、使用者が操作可能な操作部と操作部と光学レンズとを機械的に接続し、操作部に対する操作入力に従って光学レンズを移動させる接続部とを有することを特徴としたものである。
【００１８】
第７の技術手段は、第１ないし第５のいずれか１の技術手段において、レンズ移動制御手段は、光学レンズを駆動して光学レンズの位置を移動させる光学レンズ駆動手段と、使用者による操作入力が可能な入力手段と、入力手段に入力された操作入力に従って光学レンズ駆動手段を駆動させて光学レンズを操作入力に従って移動させる制御手段とを有することを特徴としたものである。
【発明の効果】
【００１９】
本発明によれば、表示画面を光学レンズを用いて投影できる機能をもった携帯通信端末であって、光学レンズを移動するだけで壁面などの投影に必要な光源などを制御することができ、また光学レンズを投影表示に使用するだけでなく、他の機能にも有効に利用できるようにした携帯通信端末を提供することができる。
【発明を実施するための最良の形態】
【００２０】
以下に本発明による携帯通信端末の実施形態を添付された図面を参照しながら具体的に説明する。なお、実施形態を説明するための全図において、同様の機能を有する部分には同じ符号を付け、その繰り返しの説明は省略する。
【００２１】
（実施形態１）
図１は、本発明による携帯通信端末の一実施形態を示す斜視概略構成図で、携帯通信端末の背面側からみた構成を説明するものである。また図２は、図１に示す携帯通信端末を側方からみた概略構成図で、図中１６は光源であり、点灯及び消灯が可能である。図２では、わかりやすくするために回転ダイヤル１５の図示は省略してある。
【００２２】
携帯通信端末１０は、携帯通信端末本体１１，光学レンズ１２，カメラ１３，液晶表示部１４，回転ダイヤル１５，及び光源１６を具備している。光学レンズ１２は、回転ダイヤル１５に接続され、使用者が回転ダイヤル１５を操作することで、光学レンズ１２の移動が可能となっている。
【００２３】
カメラ１３は、ＣＣＤ（Ｃｈａｒｇｅ  Ｃｏｕｐｌｅｄ  Ｄｅｖｉｃｅ：電荷結合素子）イメージセンサーやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：相補性金属酸化膜半導体）イメージセンサーなどで構成された撮像装置であって、携帯通信端末の外部から入力した光信号を電気的な信号に変換する処理を行う。
【００２４】
液晶表示部１４は、ＬＣＤ（Ｌｉｑｕｉｄ  Ｃｒｙｓｔａｌ  Ｄｉｓｐｌａｙ：液晶ディスプレイ）などで構成された表示装置であって、カメラ１３で撮影した静止画や動画の表示や、閲覧中のＷｅｂ表示などを行う。また回転ダイヤル１５は、使用者により操作され、回転ダイヤル１５に接続された光学レンズ１２を移動させて、該光学レンズ１２を規定位置に固定させることが可能である。回転ダイヤル１５は、使用者が操作可能な操作部として機能し、この操作部と光学レンズ１２とを機械的に接続して光学レンズ１２を移動させる接続部が配置される。そしてこれら接続部及び操作部によって、光学レンズ１２を移動させる本発明に係わる光学レンズ移動制御手段が構成される。また光源１６は、光学レンズ１２を用いて液晶表示部１４の表示画面を投影するときに点灯する光源である。
【００２５】
図１において、波線は光学レンズ１２の移動可能な位置Ｐ１，Ｐ３を示している。また図１の光学レンズの位置は、位置Ｐ２とする。ここで位置Ｐ１を、光学レンズ１２が液晶表示部１４及びカメラ１３のいずれにも作用しない待避位置とし、位置Ｐ２を、光学レンズ１２が液晶表示部１４の前面側でその表示画面の投影を行う投影位置とし、さらに位置Ｐ３を、光学レンズ１２がカメラ１３の前面側でその補助光学レンズとして機能する撮像補助位置とする。
以下にこれら光学レンズ１２の位置に応じた携帯通信端末本体の動作について説明する。
【００２６】
図３は、使用者が回転ダイヤル１５を操作して、光学レンズ１２を位置Ｐ１に固定した時の状態を説明するための図である。図３に示す状態の時、使用者は、液晶表示部１４の表示画面を直接肉眼で確認することができる。また、図３の状態の時、使用者はカメラ１３を通常の撮影モードで使用することができる。
【００２７】
図４は、使用者が回転ダイヤル１５を操作して、光学レンズ１２を位置Ｐ２に固定した時の状態を説明するための図である。図４に示す状態の時、使用者は、液晶表示部１４の表示画面を、光学レンズ１２を介して壁面などへ投射することによって、拡大表示させて確認することができる。また、図４に示す状態の時、使用者は、カメラ１３を通常の撮影モードで使用することができる。
【００２８】
図５は、使用者が回転ダイヤル１５を操作して、光学レンズ１２を位置Ｐ３に固定した時の状態を説明するための図である。図５に示す状態の時、使用者は、液晶表示部１４の表示画面を直接肉眼で確認することができる。また、図５に示す状態の時、使用者は、カメラ１３を、光学レンズ１２を補助レンズとした望遠撮影モードで使用することが可能となる。
【００２９】
次に、光学レンズの移動に伴う、カメラ１３及び光源１６の動作を説明する。図６は、本実施形態の携帯通信端末の制御機能を説明するためのブロック図である。携帯通信端末は、光学レンズ位置検出部２１，中央制御部２２，カメラ制御部２３，光源制御部２４，光学レンズ１２，カメラ１３，及び光源１６を具備している。光学レンズ位置検出部２１は、本発明に係わる光学レンズ位置検出手段として機能するもので、使用者が移動させた光学レンズ１２の位置を検出するとともに、その位置情報を中央制御部２２に通知する。中央制御部２２は、光学レンズ位置検出部２１から通知された光学レンズ移動情報に基づいて、カメラ制御部２３，及び光源制御部２４に対して、カメラ１３の制御及び光源１６の制御をそれぞれ行うよう指示すると共に、光学レンズ１２の位置情報を管理する。
【００３０】
カメラ制御部２３は、中央制御部２２からの指示に基づき、カメラ１３の露出やシャッタースピード等の制御を行う。また光源制御部２４は、中央制御部２２からの指示に基づき、光源１６の点灯及び消灯を行う。
【００３１】
図７及び図８は、光学レンズ１２の移動に応じた中央制御部２２によるカメラ制御部２３及び光源制御部２４の制御について説明するための図で、図７は中央制御部２２の状態遷移図、図８は状態遷移表を示すものである。
【００３２】
図７において、状態Ｃ１は光学レンズ１２が待避位置Ｐ１にある状態を表す。上述したように、光学レンズ１２が位置Ｐ１にある時は、液晶表示部１４の表示画面を使用者が直接肉眼で確認可能とするため、光源１６は消灯状態で、かつカメラ１３は通常状態とする。また状態Ｃ２は、光学レンズ１２が投影位置Ｐ２にある状態を表す。上述したように、光学レンズ１２が位置Ｐ２にある時は、液晶表示部１４の表示画面を壁面などに投影可能とするため、光源１６は点灯状態で、かつ、カメラ１３は通常の撮影モードとする。
【００３３】
また状態Ｃ３は、光学レンズ１２が撮像補助位置Ｐ３にある状態を表す。上述したように、光学レンズ１２が位置Ｐ３にある時は、液晶表示部１４の表示画面を使用者が直接肉眼で確認可能とするため、光源１６は消灯状態で、かつカメラ１３は光学レンズ１２を望遠レンズとして使用するため望遠モードとする。
上記の状態Ｃ１からＣ２に移行する処理を遷移処理Ｔ１，状態Ｃ２からＣ３に移行する処理を遷移処理Ｔ２，状態Ｃ３からＣ２に移行する処理を遷移処理Ｔ３，状態Ｃ２からＣ１に移行する処理を遷移処理Ｔ４とする。
【００３４】
図７に示す状態遷移に関して、図８を参照してさらに説明する。中央制御部２２は、光学レンズ１２の位置情報が位置Ｐ１である時（状態Ｃ１）、光学レンズ位置検出部２１から、光学レンズ１２が位置Ｐ２への移動した、との通知を受信した場合、光源制御部２４へ光源１６を点灯するよう指示し（遷移Ｔ１）、中央制御部２２内の光学レンズ位置情報を位置Ｐ２に設定する（状態Ｃ２）。
【００３５】
中央制御部２２は、光学レンズ１２の位置情報が位置Ｐ２にある時（状態Ｃ２）、光学レンズ位置検出部２１から、光学レンズ１２が位置Ｐ３へ移動した、との通知を受信した場合、カメラ１３の露出やシャッタースピードなどを通常撮影から望遠撮影に最適な値へ変更するよう、カメラ制御部２３へ指示すると共に、光源制御部２４へ光源１６を消灯するよう指示し（遷移Ｔ２）、中央制御部２２内の光学レンズ１２の位置情報を位置Ｐ３に設定する（状態Ｃ３）。
【００３６】
中央制御部２２は、光学レンズ１２の位置情報が位置Ｐ３にある時（状態Ｃ３）、光学レンズ位置検出部２１から、光学レンズ１２が位置Ｐ２へ移動した、との通知を受信した場合、光源制御部２４へ光源１６を点灯するよう指示するとともに、カメラ１３の露出やシャッタースピードなどを望遠撮影から通常撮影に最適な値へと変更するようカメラ制御部２３に指示し（遷移Ｔ３）、中央制御部２２内の光学レンズ１２の位置情報を位置Ｐ２に設定する（状態Ｃ２）。
【００３７】
中央制御部２２は、光学レンズ１２の位置情報が位置Ｐ２にある時（状態Ｃ２）、光学レンズ位置検出部２１から、光学レンズ１２が位置Ｐ１へ移動した、との通知を受信した場合、光源制御部２４へ光源１６を消灯するよう指示し（遷移Ｔ４）、中央制御部２２内の光学レンズ１２の位置情報を位置Ｐ１に設定する（状態Ｃ１）。
【００３８】
（実施形態２）
図９は、本発明による携帯通信端末の第２の実施形態を示す斜視概略構成図で、携帯通信端末の背面側からみた構成を説明するものである。図１の構成では、光学レンズ１２と回転ダイヤル１５とを接続し、回転ダイヤル１５を操作者が操作することで、光学レンズ１２を移動させるが、本実施形態の構成は、回転ダイヤル１５を設けることなく、携帯通信端末に設けられたカーソルキーなどを操作することにより、光学レンズ１２を移動させることができる。
【００３９】
図９において、携帯通信端末１０は、光学レンズ１２，カメラ１３，液晶表示部１４に加えて、入力装置１７を具備している。入力装置１７は、カーソルキーなどで構成され、通常は使用者が携帯通信端末の諸設定を行うために使用される。入力装置１７と光学レンズ１２は電気的に接続されており、使用者は、入力装置１７を操作することで、間接的に光学レンズ１２を移動させることができる。
光学レンズの移動位置は、上記実施形態１と同様に、待避位置Ｐ１，投影位置Ｐ２，撮像補助位置Ｐ３のいずれかを選択することができ、各位置に応じて表示画面の投影表示やカメラモードの選択が可能となる。
【００４０】
図１０は、本発明の第２の実施形態の携帯通信端末の制御機能を説明するためのブロック図である。本実施形態の形態通信端末は、光学レンズ駆動部３１，光学レンズ位置検出部３２，中央制御部３３，カメラ制御部３４，光源制御部３５，キー入力部３６，光学レンズ１２，カメラ１３，及び光源１６を具備している。
【００４１】
光学レンズ駆動部３１は、中央制御部３３からの光学レンズ移動指示に従い、光学レンズ１２を指定の位置に移動させる。光学レンズ位置検出部３２は、光学レンズ１２の位置を検出するとともに、その位置情報を中央制御部３３へ通知する。中央制御部３３は、キー入力部３６から、光学レンズ１２を移動するよう指示を受けた場合、光学レンズ駆動部３１に、光学レンズ１２を指定の位置に移動するよう指示を行う。また、中央制御部３３は、光学レンズ位置検出部３２から、光学レンズ１２が指定位置に移動が完了した通知を受けた場合、カメラ制御部３４，及び光源制御部３５に対して、カメラ１３の制御及び光源１６の制御をそれぞれ行うよう指示すると共に、現在の光学レンズ１２の位置情報を管理する。
【００４２】
キー入力部３６は、図９の入力装置１７に相当し、使用者からの光学レンズ１２移動の指示を中央制御部３３へ通知する。カメラ制御部３４は、中央制御部３３からの指示に基づき、カメラ１３の露出やシャッタースピード等の制御を行う。光源制御部３５は、中央制御部３３からの指示に基づき、光源１６の点灯及び消灯を行う。
【００４３】
すなわち、キー入力部３６は、使用者による操作入力が可能な本発明に係わる入力手段として機能し、光学レンズ駆動部３１は、入力手段に入力された操作入力に従って光学レンズ１２の位置を移動させる本発明に係わる光学レンズ駆動手段として機能し、中央制御部３３は、光学レンズ駆動手段を制御する本発明に係わる制御手段として機能する。そして、これら光学レンズ駆動手段、入力手段、及び制御手段によって本発明に係わるレンズ移動制御手段が構成される。
【００４４】
図１１及び図１２は、光学レンズの移動指示に応じた中央制御部３３による光学レンズ駆動部３１，光源制御部３５，及びカメラ制御部３４の制御ついて説明するための図で、図１１は中央制御部３３の状態遷移図、図１２は状態遷移表を示すものである。
【００４５】
図１１において光学レンズ１２が待避位置Ｐ１にあるときの状態Ｃ１、光学レンズ１２が投影位置Ｐ２にあるときの状態Ｃ２，光学レンズ１２が撮像補助位置Ｐ３にあるときの状態Ｃ３は、上述の実施形態１の図７と同様である。本実施形態では、状態Ｃ１，Ｃ２，Ｃ３間の遷移処理Ｔ１１，Ｔ１２，Ｔ１３，Ｔ１４において、光源１６及びカメラ１３のモード制御に加えて、レンズ位置を移動させる制御が必要となる。
【００４６】
図１１の状態遷移に関して、図１２を参照してさらに説明する。中央制御部３３は、光学レンズ１２の位置情報が位置Ｐ１にある時（状態Ｃ１）、キー入力部３６から、光学レンズ１２を位置Ｐ２へ移動するよう指示を受信した場合、光学レンズ駆動部３１へ、光学レンズ１２を位置Ｐ２へ移動するよう指示を行う。中央制御部３３は、光学レンズ位置検出部３２から、光学レンズ１２が位置Ｐ２へ移動が完了した通知を受信すると、光源制御部３５へ光源１６を点灯するよう指示し（遷移Ｔ１１）、中央制御部３３内の光学レンズ１２の位置情報を位置Ｐ２に設定する（状態Ｃ２）。
【００４７】
中央制御部３３は、光学レンズ１２の位置情報が位置Ｐ２にある時（状態Ｃ２）、キー入力部３６から、光学レンズ１２を位置Ｐ３へ移動するよう指示を受信した場合、光学レンズ駆動部３１へ光学レンズ１２を位置Ｐ３へ移動するよう指示を行う。中央制御部３３は、光学レンズ位置検出部３２から、光学レンズ１２が位置Ｐ３へ移動が完了した通知を受信すると、光源制御部３５へ光源１６を消灯するよう指示するとともに、カメラ制御部３４へ、カメラの露出やシャッタースピードなどを望遠撮影に最適な値へ変更するよう指示し（遷移Ｔ１２）、さらに、中央制御部３３内の光学レンズ１２の位置情報を位置Ｐ３に設定する（状態Ｃ３）。
【００４８】
中央制御部３３は、光学レンズ１２の位置情報が位置Ｐ３にある時（状態Ｃ３）、キー入力部３６から、光学レンズ１２を位置Ｐ２へ移動するよう指示を受信した場合、光学レンズ駆動部３１へ光学レンズ１２を位置Ｐ２へ移動するよう指示を行う。中央制御部３３は、光学レンズ位置検出部３２から、光学レンズ１２が位置Ｐ２へ移動が完了した通知を受信すると、光源制御部３５へ光源１６を点灯するよう指示するとともに、カメラ制御部３４へ、カメラの露出やシャッタースピードなどを通常撮影に最適な値へ変更するよう指示し（遷移Ｔ１３）、さらに、中央制御部３３内の光学レンズ１２の位置情報を位置Ｐ２に設定する（状態Ｃ２）。
【００４９】
中央制御部３３は、光学レンズ１２の位置情報が位置Ｐ２にある時（状態Ｃ２）、キー入力部３６から、光学レンズ１２を位置Ｐ１へ移動するよう指示を受信した場合、光学レンズ駆動部３１へ光学レンズ１２を位置Ｐ１へ移動するよう指示を行い、中央制御部３３は、光学レンズ位置検出部３２から、光学レンズ１２が位置Ｐ１へ移動が完了した通知を受信すると、光源制御部３５へ光源１６を消灯するよう指示し（遷移Ｔ１４）、中央制御部３３内の光学レンズ１２の位置情報を位置Ｐ１に設定する（状態Ｃ１）。
【００５０】
尚、上述した各実施形態では、光学レンズをカメラの補助レンズとして使用するとき、望遠撮影を行うものとして説明したが、望遠撮影のみならず広角撮影のための補助レンズとして機能させてもよい。また、カメラが液晶表示部の上方に配置された構成例を示したが、カメラを液晶表示部の下方に配置する構成をとってもよい。
【図面の簡単な説明】
【００５１】
【図１】本発明による携帯通信端末の一実施形態を示す斜視概略構成図である。
【図２】図１に示す携帯通信端末を側方からみた概略構成図である。
【図３】使用者が回転ダイヤルを操作して、光学レンズを退避位置に固定した時の状態を説明するための図である。
【図４】使用者が回転ダイヤルを操作して、光学レンズを投影位置に固定した時の状態を説明するための図である。
【図５】使用者が回転ダイヤルを操作して、光学レンズを撮像補助位置に固定した時の状態を説明するための図である。
【図６】本実施形態の携帯通信端末の制御機能を説明するためのブロック図である。
【図７】光学レンズの移動に応じた中央制御部によるカメラ制御部及び光源制御部の制御について説明するための図で、中央制御部の状態遷移図である。
【図８】光学レンズの移動に応じた中央制御部によるカメラ制御部及び光源制御部の制御について説明するための図で、状態遷移表を示すものである。
【図９】本発明による携帯通信端末の第２の実施形態を示す斜視概略構成図である。
【図１０】本発明の第２の実施形態の携帯通信端末の制御機能を説明するためのブロック図である。
【図１１】光学レンズの移動指示に応じた中央制御部による光学レンズ駆動部，光源制御部，及びカメラ制御部の制御ついて説明するための図で、中央制御部の状態遷移図を示すものである。
【図１２】光学レンズの移動指示に応じた中央制御部による光学レンズ駆動部，光源制御部，及びカメラ制御部の制御ついて説明するための図で、中央制御部の状態遷移表を示すものである。
【図１３】特許文献１で開示された、液晶表示を壁面等に投射する機能を備えた携帯電話機を示す図である。
【図１４】特許文献１で開示された、液晶表示を壁面等に投射する機能を備えた携帯電話機を示す図である。
【符号の説明】
【００５２】
１０…携帯通信端末、１１…携帯通信端末本体、１２…光学レンズ、１３…カメラ、１４…液晶表示部、１５…回転ダイヤル、１６…光源、１７…入力装置、２１…光学レンズ位置検出部、２２…中央制御部、２３…カメラ制御部、２４…光源制御部、３１…光学レンズ駆動部、３２…光学レンズ位置検出部、３３…中央制御部、３４…カメラ制御部、３５…光源制御部、３６…キー入力部、４０…携帯電話機、４１…液晶表示部、４２…投影光学レンズ、４３…携帯電話機の本体、４４…回転軸。
【図１】
2005260550.tif 000003
【図２】
2005260550.tif 000004
【図３】
2005260550.tif 000005
【図４】
2005260550.tif 000006
【図５】
2005260550.tif 000007
【図６】
2005260550.tif 000008
【図７】
2005260550.tif 000009
【図８】
2005260550.tif 000010
【図９】
2005260550.tif 000011
【図１０】
2005260550.tif 000012
【図１１】
2005260550.tif 000013
【図１２】
2005260550.tif 000014
【図１３】
2005260550.tif 000015
【図１４】
2005260550.tif 000016